(57)【要約】      （修正有）【課題】ＣＤ−Ｒ、ＤＶＤ−Ｒ等のレーザ光による光学記録媒体の光学記録層の光学記録材料として、好適な光学特性および材料熱分解特性を有する化合物の提供。【解決手段】下記式（VII）であらわされるペンタメチン系インドリウムカチオンとアゾ錯体アニオンからなる新規色素化合物である。2009292955.tif 000050(Ｒは置換基、Ｘは置換基を有していても良い炭素、窒素等、ｍは０〜３の整数である。)アニオンは、アゾ染料の金属錯塩化合物で、金属は例えばＣｏである。【選択図】なし【特許請求の範囲】
【請求項１】
下記一般式（Ｉ）で表される化合物。
【化１】
2009292955.tif 000035
（式中、Ａは、下記一般式（II）、（IV）及び（VI）〜（IX）の群より選択されるｑ価のカチオンを表し、Ｂは、下記一般式（X）で表されるｔ価のアニオンを表し、ｑ及びｔは、それぞれ独立に１〜８の数であり、ｐ及びｓは、電荷を中性に保つ係数を表す。）
【化２】
2009292955.tif 000036
（式中、Ｒ１、Ｒ２、Ｒ３及びＲ４は、それぞれ独立に、水素原子、炭素原子数１〜８のアルキル基、炭素原子数６〜３０のアリール基、炭素原子数７〜３０のアリールアルキル基、炭素原子数２〜３０の複素環基又は下記一般式（III）で表される置換基を表し、Ｒ５、Ｒ６及びＲ７は、それぞれ独立に、水素原子、炭素原子数１〜８のアルキル基、炭素原子数６〜２０のアリール基、炭素原子数７〜２０のアリールアルキル基、炭素原子数２〜３０の複素環基、ハロゲン原子、水酸基、カルボキシル基、アミノ基、ニトロ基、シアノ基又は下記一般式（III）で表される置換基を表す。上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよく、Ｒ１とＲ２、Ｒ３とＲ４、及びＲ５とＲ７とは、それぞれ連結して環構造を形成していてもよい。）
【化３】
2009292955.tif 000037
（式中、Ｒｃ〜Ｒｋは、各々独立に、水素原子又は炭素原子数１〜４のアルキル基を表し、該アルキル基中のメチレン基は−Ｏ−又は−ＣＯ−で置換されていてもよく、Ｚ１は、直接結合又は炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−−Ｎ＝ＣＨ−又は−ＣＨ＝ＣＨ−で置換されていてもよく、Ｍ１は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【化４】
2009292955.tif 000038
（式中、Ｄは、アミノ基、五員又は六員の芳香族環、インドール環あるいはメタロセニル基を表し、Ｒ８は、水素原子、炭素原子数１〜８のアルキル基、炭素原子数６〜３０のアリール基、炭素原子数７〜３０のアリールアルキル基、炭素原子数２〜３０の複素環基又は下記一般式（III）で表される置換基を表し、Ｒ９及びＲ１０は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ１１及びＲ１２は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｘ１は、酸素原子、硫黄原子、セレン原子、−ＣＲ１３Ｒ１４−、−ＮＨ−又は−ＮＲ１５―を表し、Ｒ１３及びＲ１４は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ１５は、水素原子、炭素原子数１〜８のアルキル基、炭素原子数６〜２０のアリール基、炭素原子数７〜２０のアリールアルキル基又は上記一般式（III）で表される置換基を表す。Ｒ９とＲ１０、Ｒ８とＲ１０、及びＲ１３とＲ１４とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【化５】
2009292955.tif 000039
（上記一般式（Ｖ）において、ＬとＴとの間の結合は二重結合、共役二重結合又は三重結合であり、Ｌは炭素原子を表し、Ｔは炭素原子、酸素原子又は窒素原子を表し、ｘ、ｙ及びｚは、０又は１を表し、ａは０〜４の数を表し、Ｒ１６は、水素原子、ハロゲン原子、ハロゲン原子で置換されていてもよい炭素原子数１〜４のアルキル基又はハロゲン原子で置換されてもよい炭素原子数１〜４のアルコキシ基を表し、Ｒ１７、Ｒ１８及びＲ１９は、それぞれ独立に、水素原子、ハロゲン原子、又はハロゲン原子で置換されていてもよい炭素原子数１〜４のアルキル基を表し、Ｒ１７とＲ１９とは、連結して環構造を形成していてもよい。上記一般式（Ｖ’）において、Ｌ’とＴ’との間の結合は二重結合又は共役二重結合であり、Ｌ’は炭素原子を表し、Ｔ’は、炭素原子又は窒素原子を表し、ａ’は０〜４の数を表し、Ｌ’、Ｔ’を含む環は、ヘテロ原子を含んでもよい五員環、ヘテロ原子を含んでもよい六員環、ナフタレン環、キノリン環、イソキノリン環、アントラセン環又はアントラキノン環を表し、これらＬ’、Ｔ’を含む環は、ハロゲン原子、ニトロ基、シアノ基、アルキル基、アルコキシ基で置換されていてもよい。）
【化６】
2009292955.tif 000040
（式中、Ｒ２０及びＲ２１は、それぞれ独立に、水素原子、炭素原子数１〜８のアルキル基、炭素原子数６〜２０のアリール基、炭素原子数７〜２０のアリールアルキル基、炭素原子数２〜２０の複素環基、ハロゲン原子、水酸基、カルボキシル基、アミノ基、ニトロ基、シアノ基、又は上記一般式（III）で表される基を表し、Ｒ２２及びＲ２３は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ２は、酸素原子、硫黄原子、セレン原子、−ＣＲ２４Ｒ２５−、−ＮＨ−又は−ＮＲ２６−を表わし、Ｒ２４とＲ２５は、それぞれ独立に、炭素原子数１〜８のアルキル基、炭素原子数６〜２０のアリール基、炭素原子数７〜２０のアリールアルキル基、炭素原子数２〜２０の複素環基あるいは上記一般式（III）、上記一般式（Ｖ）又は上記一般式（Ｖ’）で表わされる置換基を表わし、Ｒ２６は、水素原子、炭素原子数１〜８のアルキル基、炭素原子数６〜２０のアリール基、炭素原子数７〜２０のアリールアルキル基又は上記一般式（III）で表される置換基を表す。Ｚ２は、炭素原子数１〜１０の有機基であり、ｎは１又は２であり、ｒは２〜８である。Ｒ２０とＲ２１、Ｒ２２とＲ２３、及びＲ２４とＲ２５とは、それぞれ互いに連結して環構造を形成していてもよく、Ｎ−Ｒ２２は、隣接するポリメチン鎖中のメチレン基と互いに連結して複素環を形成していてもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【化７】
2009292955.tif 000041
（式中、Ｒ２７及びＲ２８は、それぞれ独立に、水素原子、炭素原子数１〜８のアルキル基、炭素原子数６〜２０のアリール基、炭素原子数７〜２０のアリールアルキル基、炭素原子数２〜２０の複素環基又は上記一般式（III）で表わされる置換基を表わし、Ｒ２９、Ｒ３０及びＲ３１は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｒ３２、Ｒ３３、Ｒ３４及びＲ３５は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｘ３及びＸ４は、酸素原子、硫黄原子、セレン原子、−ＣＲ３６Ｒ３７−、−ＮＨ−又は−ＮＲ３８―を表し、Ｒ３６及びＲ３７は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ３８は、水素原子、炭素原子数１〜８のアルキル基、炭素原子数６〜２０のアリール基、炭素原子数７〜２０のアリールアルキル基又は上記一般式（III）で表される置換基を表し、ｍは、０〜３の数である。Ｒ２７とＲ２９、Ｒ２７とＲ３３、Ｒ２８とＲ３１、Ｒ２８とＲ３５、Ｒ２９とＲ３１、Ｒ３２とＲ３３、及びＲ３４とＲ３５とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【化８】
2009292955.tif 000042
（式中、Ｒ３９は、水素原子、炭素原子数１〜８のアルキル基、炭素原子数６〜２０のアリール基、炭素原子数７〜２０のアリールアルキル基、炭素原子数２〜２０の複素環基又は上記一般式（III）で表わされる置換基を表わし、Ｒ４０及びＲ４１は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｒ４２及びＲ４３は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ４４及びＲ４５は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ５は、酸素原子、硫黄原子、セレン原子、−ＣＲ４６Ｒ４７−、−ＮＨ−又は−ＮＲ４８―を表し、Ｒ４６及びＲ４７は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ４８は、水素原子、炭素原子数１〜８のアルキル基、炭素原子数６〜２０のアリール基、炭素原子数７〜２０のアリールアルキル基又は上記一般式（III）で表される置換基を表し、ｓは、１〜３の数である。Ｒ３９とＲ４０、Ｒ３９とＲ４３、Ｒ４０とＲ４５、Ｒ４１とＲ４４、Ｒ４２とＲ４３、及びＲ４４とＲ４５とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【化９】
2009292955.tif 000043
（式中、Ｇは、炭素原子数１〜１８の炭化水素を表し、該炭化水素基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−−Ｎ＝で置換されていてもよい。Ｒ２００、Ｒ２０１、Ｒ２０２及びＲ２０３は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ２０４、Ｒ２０５、Ｒ２０６及びＲ２０７は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ６、Ｘ７は、酸素原子、硫黄原子、セレン原子、−ＣＲ２０８Ｒ２０９−、−ＮＨ−又は−ＮＲ２１０―を表し、Ｒ２０８及びＲ２０９は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ２１０は、水素原子、炭素原子数１〜８のアルキル基、炭素原子数６〜２０のアリール基、炭素原子数７〜２０のアリールアルキル基又は上記一般式（III）で表される置換基を表し、Ｒ２００とＲ２０１、Ｒ２０２とＲ２０３、Ｒ２０４とＲ２０５、Ｒ２０６とＲ２０７とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【化１０】
2009292955.tif 000044
（式中、環Ａ１、環Ａ２、環Ａ３及び環Ａ４は、それぞれ独立に、五員又は六員の芳香族環又は複素環を表し、Ｚ３、Ｚ４、Ｚ５及びＺ６は、それぞれ独立に、酸素原子、硫黄原子、セレン原子又は−ＮＲ−を表し、Ｒは、水素原子、ハロゲン原子で置換されていてもよいアルキルスルホ基又はハロゲン原子で置換されていてもよいアルキルカルボキシル基であり、Ｍ２は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表し、ｔは、上記一般式（Ｉ）と同じである。）
【請求項２】
上記一般式（Ｉ）中、Ｂが、下記一般式（XI）〜（XV）のいずれかである請求項１記載の化合物。
【請求項３】
Ｒがフェニル基である請求項１又は２に記載の感放射線性組成物用濃縮現像液。
【化１１】
2009292955.tif 000045
（式中、Ｒ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ５５及びＲ６２は、炭素原子数１〜８のアルキル基を表し、Ｚ７及びＺ８は、酸素原子、硫黄原子、セレン原子又は−ＮＲ−を表し、Ｒは、上記一般式（IX）と同じである。Ｍ３は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【化１２】
2009292955.tif 000046
（式中、Ｒ６３、Ｒ６４、Ｒ６５、Ｒ６６、Ｒ６９、Ｒ７０、Ｒ７１及びＲ７２は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ６７、Ｒ６８、Ｒ７３及びＲ７４は、炭素原子数１〜８のアルキル基を表し、Ｚ９及びＺ１０は、酸素原子、硫黄原子、セレン原子又は−ＮＲ−を表し、Ｒは、上記一般式（IX）と同じである。Ｍ４は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【化１３】
2009292955.tif 000047
（式中、Ｒ７５、Ｒ７６、Ｒ７７、Ｒ７８、Ｒ８０、Ｒ８１、Ｒ８２及びＲ８３は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ７９及びＲ８４は、炭素原子数１〜８のアルキル基を表す。Ｍ５は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【化１４】
2009292955.tif 000048
（式中、Ｒ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表す。Ｍ６は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【化１５】
2009292955.tif 000049
（式中、Ｒ１０１、Ｒ１０２、Ｒ１０３、Ｒ１０４、Ｒ１０５、Ｒ１０７、Ｒ１０８、Ｒ１０９、Ｒ１１０及びＲ１１１は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ１０６及びＲ１１２は、炭素原子数１〜８のアルキル基を表す。Ｍ７は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【請求項４】
請求項１又は２記載の化合物を少なくとも一種含有することを特徴とする光学記録材料。
【請求項５】
基体上に、請求項３記載の光学記録材料から形成された光学記録層を有することを特徴とする光学記録媒体。
【発明の詳細な説明】
【技術分野】
【０００１】
本発明は、シアニン化合物及び該シアニン化合物を用いた光学記録材料、特に主として情報をレーザ等による情報パターンとして付与することにより記録する光学記録媒体に使用される光学記録材料に関し、詳しくは、紫外及び可視領域の波長を有し且つ低エネルギーのレーザ等による高密度の光学記録及び再生が可能な光学記録媒体に使用される光学記録材料に関する。
【背景技術】
【０００２】
光学記録媒体は、一般に、記録容量が大きく、記録又は再生が非接触で行なわれること等の優れた特徴を有することから、広く普及している。ＷＯＲＭ、ＣＤ−Ｒ、ＤＶＤ±Ｒ等の追記型の光ディスクでは、記録層の微小面積にレーザを集光させ、光学記録層の性状を変えて記録し、記録部分と未記録部分との反射光量の違いによって再生を行なっている。
【０００３】
光ディスクに代表される光学記録媒体の光学記録層には、光学記録層を形成するのが容易なので有機系の色素が使用されており、特にシアニン系化合物が感度が高く、高速化に対応できることから検討されている。
【０００４】
短波長記録光用の光学記録媒体において、光学記録層の形成には、各種化合物が使用されている。例えば、特許文献１〜３には特定の構造を持つシアニン化合物を含有する光学記録材料が報告されている。しかし、これらの化合物は、光学記録層の形成に用いられる光学記録材料としては、熱分解特性に問題がある。高速記録には熱干渉が小さいことが必要であり、光学記録材料としては、分解温度が低いもの及び熱分解が急峻であるものが適合するが、上記報告の各シアニン系化合物は、この点で充分な特性を有しているものではなかった。
【０００５】
【特許文献１】特開２００１−３０１３３３号公報
【特許文献２】特開２００５−２９７４０６号公報
【特許文献３】特許３３６４２３１号公報
【発明の開示】
【発明が解決しようとする課題】
【０００６】
従って、本発明の目的は熱分解特性に優れ、レーザ光による光学記録材料に用いられる光学要素に適した化合物を提供することにある。
【課題を解決するための手段】
【０００７】
本発明者等は、検討を重ねた結果、特定の構造を有するシアニン化合物が、熱分解特性に優れることを知見し、これを使用することにより、上記課題を解決し得ることを知見した。
【０００８】
本発明は、上記知見に基づいてなされたもので、下記一般式（Ｉ）で表される化合物を提供することで、上記目的を達成したものである。
【０００９】
【化１】
2009292955.tif 000002
【００１０】
（式中、Ａは、下記一般式（II）、（IV）及び（VI）〜（IX）の群より選択されるｑ価のカチオンを表し、Ｂは、下記一般式（X）で表されるｔ価のアニオンを表し、ｑ及びｔは、それぞれ独立に１〜８の数であり、ｐ及びｓは、電荷を中性に保つ係数を表す。）
【００１１】
【化２】
2009292955.tif 000003
【００１２】
（式中、Ｒ１、Ｒ２、Ｒ３及びＲ４は、それぞれ独立に、水素原子、炭素原子数１〜８のアルキル基、炭素原子数６〜３０のアリール基、炭素原子数７〜３０のアリールアルキル基、炭素原子数２〜３０の複素環基又は下記一般式（III）で表される置換基を表し、Ｒ５、Ｒ６及びＲ７は、それぞれ独立に、水素原子、炭素原子数１〜８のアルキル基、炭素原子数６〜２０のアリール基、炭素原子数７〜２０のアリールアルキル基、炭素原子数２〜３０の複素環基、ハロゲン原子、水酸基、カルボキシル基、アミノ基、ニトロ基、シアノ基又は下記一般式（III）で表される置換基を表す。上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよく、Ｒ１とＲ２、Ｒ３とＲ４、及びＲ５とＲ７とは、それぞれ連結して環構造を形成していてもよい。）
【００１３】
【化３】
2009292955.tif 000004
【００１４】
（式中、Ｒｃ〜Ｒｋは、各々独立に、水素原子又は炭素原子数１〜４のアルキル基を表し、該アルキル基中のメチレン基は−Ｏ−又は−ＣＯ−で置換されていてもよく、Ｚ１は、直接結合又は炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−−Ｎ＝ＣＨ−又は−ＣＨ＝ＣＨ−で置換されていてもよく、Ｍ１は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【００１５】
【化４】
2009292955.tif 000005
【００１６】
（式中、Ｄは、アミノ基、五員又は六員の芳香族環、インドール環あるいはメタロセニル基を表し、Ｒ８は、水素原子、炭素原子数１〜８のアルキル基、炭素原子数６〜３０のアリール基、炭素原子数７〜３０のアリールアルキル基、炭素原子数２〜３０の複素環基又は下記一般式（III）で表される置換基を表し、Ｒ９及びＲ１０は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ１１及びＲ１２は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｘ１は、酸素原子、硫黄原子、セレン原子、−ＣＲ１３Ｒ１４−、−ＮＨ−又は−ＮＲ１５―を表し、Ｒ１３及びＲ１４は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ１５は、水素原子、炭素原子数１〜８のアルキル基、炭素原子数６〜２０のアリール基、炭素原子数７〜２０のアリールアルキル基又は上記一般式（III）で表される置換基を表す。Ｒ９とＲ１０、Ｒ８とＲ１０、及びＲ１３とＲ１４とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【００１７】
【化５】
2009292955.tif 000006
【００１８】
（上記一般式（Ｖ）において、ＬとＴとの間の結合は二重結合、共役二重結合又は三重結合であり、Ｌは炭素原子を表し、Ｔは炭素原子、酸素原子又は窒素原子を表し、ｘ、ｙ及びｚは、０又は１を表し、ａは０〜４の数を表し、Ｒ１６は、水素原子、ハロゲン原子、ハロゲン原子で置換されていてもよい炭素原子数１〜４のアルキル基又はハロゲン原子で置換されてもよい炭素原子数１〜４のアルコキシ基を表し、Ｒ１７、Ｒ１８及びＲ１９は、それぞれ独立に、水素原子、ハロゲン原子、又はハロゲン原子で置換されていてもよい炭素原子数１〜４のアルキル基を表し、Ｒ１７とＲ１９とは、連結して環構造を形成していてもよい。上記一般式（Ｖ’）において、Ｌ’とＴ’との間の結合は二重結合又は共役二重結合であり、Ｌ’は炭素原子を表し、Ｔ’は、炭素原子又は窒素原子を表し、ａ’は０〜４の数を表し、Ｌ’、Ｔ’を含む環は、ヘテロ原子を含んでもよい五員環、ヘテロ原子を含んでもよい六員環、ナフタレン環、キノリン環、イソキノリン環、アントラセン環又はアントラキノン環を表し、これらＬ’、Ｔ’を含む環は、ハロゲン原子、ニトロ基、シアノ基、アルキル基、アルコキシ基で置換されていてもよい。）
【００１９】
【化６】
2009292955.tif 000007
【００２０】
（式中、Ｒ２０及びＲ２１は、それぞれ独立に、水素原子、炭素原子数１〜８のアルキル基、炭素原子数６〜２０のアリール基、炭素原子数７〜２０のアリールアルキル基、炭素原子数２〜２０の複素環基、ハロゲン原子、水酸基、カルボキシル基、アミノ基、ニトロ基、シアノ基、又は上記一般式（III）で表される基を表し、Ｒ２２及びＲ２３は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ２は、酸素原子、硫黄原子、セレン原子、−ＣＲ２４Ｒ２５−、−ＮＨ−又は−ＮＲ２６−を表わし、Ｒ２４とＲ２５は、それぞれ独立に、炭素原子数１〜８のアルキル基、炭素原子数６〜２０のアリール基、炭素原子数７〜２０のアリールアルキル基、炭素原子数２〜２０の複素環基あるいは上記一般式（III）、上記一般式（Ｖ）又は上記一般式（Ｖ’）で表わされる置換基を表わし、Ｒ２６は、水素原子、炭素原子数１〜８のアルキル基、炭素原子数６〜２０のアリール基、炭素原子数７〜２０のアリールアルキル基又は上記一般式（III）で表される置換基を表す。Ｚ２は、炭素原子数１〜１０の有機基であり、ｎは１又は２であり、ｒは２〜８である。Ｒ２０とＲ２１、Ｒ２２とＲ２３、及びＲ２４とＲ２５とは、それぞれ互いに連結して環構造を形成していてもよく、Ｎ−Ｒ２２は、隣接するポリメチン鎖中のメチレン基と互いに連結して複素環を形成していてもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【００２１】
【化７】
2009292955.tif 000008
【００２２】
（式中、Ｒ２７及びＲ２８は、それぞれ独立に、水素原子、炭素原子数１〜８のアルキル基、炭素原子数６〜２０のアリール基、炭素原子数７〜２０のアリールアルキル基、炭素原子数２〜２０の複素環基又は上記一般式（III）で表わされる置換基を表わし、Ｒ２９、Ｒ３０及びＲ３１は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｒ３２、Ｒ３３、Ｒ３４及びＲ３５は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｘ３及びＸ４は、酸素原子、硫黄原子、セレン原子、−ＣＲ３６Ｒ３７−、−ＮＨ−又は−ＮＲ３８―を表し、Ｒ３６及びＲ３７は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ３８は、水素原子、炭素原子数１〜８のアルキル基、炭素原子数６〜２０のアリール基、炭素原子数７〜２０のアリールアルキル基又は上記一般式（III）で表される置換基を表し、ｍは、０〜３の数である。Ｒ２７とＲ２９、Ｒ２７とＲ３３、Ｒ２８とＲ３１、Ｒ２８とＲ３５、Ｒ２９とＲ３１、Ｒ３２とＲ３３、及びＲ３４とＲ３５とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【００２３】
【化８】
2009292955.tif 000009
【００２４】
（式中、Ｒ３９は、水素原子、炭素原子数１〜８のアルキル基、炭素原子数６〜２０のアリール基、炭素原子数７〜２０のアリールアルキル基、炭素原子数２〜２０の複素環基又は上記一般式（III）で表わされる置換基を表わし、Ｒ４０及びＲ４１は、それぞれ独立に、水素原子、炭素原子数１〜８のアルキル基、炭素原子数６〜２０のアリール基又は炭素原子数７〜２０のアリールアルキル基、炭素原子数２〜３０の複素環基、ハロゲン原子、水酸基、カルボキシル基、アミノ基、シアノ基又は下記一般式（III）で表される置換基を表し、Ｒ４２及びＲ４３は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ４４及びＲ４５は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ５は、酸素原子、硫黄原子、セレン原子、−ＣＲ４６Ｒ４７−、−ＮＨ−又は−ＮＲ４８―を表し、Ｒ４６及びＲ４７は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ４８は、水素原子、炭素原子数１〜８のアルキル基、炭素原子数６〜２０のアリール基、炭素原子数７〜２０のアリールアルキル基又は上記一般式（III）で表される置換基を表し、ｓは、１〜３の数である。Ｒ３９とＲ４０、Ｒ３９とＲ４３、Ｒ４０とＲ４５、Ｒ４１とＲ４４、Ｒ４２とＲ４３、及びＲ４４とＲ４５とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【００２５】
【化９】
2009292955.tif 000010
【００２６】
（式中、Ｇは、炭素原子数１〜１８の炭化水素を表し、該炭化水素基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−−Ｎ＝で置換されていてもよい。Ｒ２００、Ｒ２０１、Ｒ２０２及びＲ２０３は、それぞれ独立に、水素原子、炭素原子数１〜８のアルキル基、炭素原子数６〜３０のアリール基、炭素原子数７〜３０のアリールアルキル基、炭素原子数２〜３０の複素環基、ハロゲン原子、水酸基、カルボキシル基、アミノ基、ニトロ基、シアノ基又は上記一般式（III）で表される置換基を表し、Ｒ２０４、Ｒ２０５、Ｒ２０６及びＲ２０７は、それぞれ独立に、水素原子、炭素原子数１〜８のアルキル基、炭素原子数６〜２０のアリール基、炭素原子数７〜２０のアリールアルキル基又は上記一般式（III）で表される置換基を表し、Ｘ６、Ｘ７は、酸素原子、硫黄原子、セレン原子、−ＣＲ２０８Ｒ２０９−、−ＮＨ−又は−ＮＲ２１０―を表し、Ｒ２０８及びＲ２０９は、各々独立に、炭素原子数１〜８のアルキル基、炭素原子数６〜２０のアリール基、炭素原子数７〜２０のアリールアルキル基、上記一般式（III）で表される置換基又は下記一般式（Ｖ）あるいは(Ｖ')で表される置換基を表し、Ｒ２１０は、水素原子、炭素原子数１〜８のアルキル基、炭素原子数６〜２０のアリール基、炭素原子数７〜２０のアリールアルキル基又は上記一般式（III）で表される置換基を表し、Ｒ２００とＲ２０１、Ｒ２０２とＲ２０３、Ｒ２０４とＲ２０５、Ｒ２０６とＲ２０７とは、互いに連結して環構造を形成してもよく、上記アルキル基及びアリールアルキル基中のメチレン基は、−Ｏ−、−Ｓ−、−ＣＯ−、−ＣＯ−Ｏ−、−Ｏ−ＣＯ−、−ＮＨ−ＣＯ−、−ＣＯ−ＮＨ−、−Ｃ≡Ｃ−又は−Ｃ＝Ｃ−で置換されてもよい。）
【００２７】
【化１０】
2009292955.tif 000011
【００２８】
（式中、環Ａ１、環Ａ２、環Ａ３及び環Ａ４は、それぞれ独立に、五員又は六員の芳香族環又は複素環を表し、Ｚ３、Ｚ４、Ｚ５及びＺ６は、それぞれ独立に、酸素原子、硫黄原子、セレン原子又は−ＮＲ−を表し、Ｒは、水素原子、ハロゲン原子で置換されていてもよいアルキルスルホ基又はハロゲン原子で置換されていてもよいアルキルカルボキシル基であり、Ｍ２は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表し、ｔは、上記一般式（Ｉ）と同じである。）
【発明の効果】
【００２９】
本発明によれば、光学要素として適する熱分解特性に優れた化合物を含有してなる光学記録材料を提供することができる。また、該光学記録材料は、光学記録媒体の光学記録層の形成に好適に用いられる。
【発明を実施するための最良の形態】
【００３０】
以下、本発明の好ましい実施形態について詳細に説明する。
【００３１】
先ず、上記一般式（Ｉ）で表される化合物について説明する。
上記一般式（Ｉ）中、Ａは、上記一般式（II）、（IV）及び（VI）〜（IX）の群より選択されるｑ価のカチオンを表し、Ｂは、上記一般式（IX）で表されるｔ価のアニオンを表す。
【００３２】
上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８表される炭素原子数１〜８のアルキル基としては、メチル、エチル、プロピル、イソプロピル、ブチル、第二ブチル、第三ブチル、イソブチル、アミル、イソアミル、第三アミル、ヘキシル、シクロヘキシル、ヘプチル、イソヘプチル、第三ヘプチル、ｎ−オクチル、イソオクチル、第三オクチル、２−エチルヘキシル、トリフルオロメチル、ジフルオロメチル、モノフルオロメチル、ペンタフルオロエチル、テトラフルオロエチル、トリフルオロエチル、ジフルオロエチル、ヘプタフルオロプロピル、ヘキサフルオロプロピル、ペンタフルオロプロピル、テトラフルオロプロピル、トリフルオロプロピル、パーフルオロブチル等が挙げられ、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８で表される炭素原子数６〜３０のアリール基としては、フェニル、ナフチル、アントラセン−１−イル、フェナントレン−１−イル等が挙げられ、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８で表される炭素原子数７〜３０のアリールアルキル基としては、ベンジル、フェネチル、２−フェニルプロパン、ジフェニルメチル、トリフェニルメチル、スチリル、シンナミル等が挙げられ、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１及びＲ１２、上記一般式（VI）中のＲ２０及びＲ２１、上記一般式（VII）中のＲ２７、Ｒ２８、Ｒ２９、Ｒ３０、Ｒ３１、Ｒ３２、Ｒ３３、Ｒ３４及びＲ３５、上記一般式（VIII）中のＲ３９、Ｒ４０、Ｒ４１、Ｒ４２及びＲ４３で表される炭素原子数２〜３０の複素環基としては、ピリジル、ピリミジル、ピリダジル、ピペラジル、ピペリジル、ピラニル、ピラゾリル、トリアジル、ピロリジル、キノリル、イソキノリル、イミダゾリル、ベンゾイミダゾリル、��リアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、ユロリジル、モルフォリニル、チオモルフォリニル、２−ピロリジノン−１−イル、２−ピペリドン−１−イル、２，４−ジオキシイミダゾリジン−３−イル、２，４−ジオキシオキサゾリジン−３−イル等が挙げられ、上記一般式（II）中のＲ５、Ｒ６及びＲ７、上記一般式（IV）中のＲ９、Ｒ１０、Ｒ１１及びＲ１２、上記一般式（VI）中のＲ２０及びＲ２１、上記一般式（VII）中のＲ２９、Ｒ３０、Ｒ３１、Ｒ３２、Ｒ３３、Ｒ３４及びＲ３５、上記一般式（VIII）中のＲ４０、Ｒ４１、Ｒ４２及びＲ４３で表されるハロゲン原子としては、フッ素、塩素、臭素、ヨウ素等が挙げられ、上記一般式（II）中のＲ５、Ｒ６及びＲ７、上記一般式（IV）中のＤ、Ｒ９、Ｒ１０、Ｒ１１及びＲ１２、上記一般式（VI）中のＲ２０及びＲ２１、上記一般式（VII）中のＲ２９、Ｒ３０、Ｒ３１、Ｒ３２、Ｒ３３、Ｒ３４及びＲ３５、上記一般式（VIII）中のＲ４０、Ｒ４１、Ｒ４２及びＲ４３で表されるアミノ基としては、アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ、トリメチルアンモニオ、トリエチルアンモニオ等が挙げられ、前記の四級窒素を持つアミノ基はアニオンと塩を形成していてもよい。
【００３３】
上記一般式（II）中のＲ１とＲ２、Ｒ３とＲ４及びＲ５とＲ７、上記一般式（IV）中のＲ９とＲ１０、Ｒ８とＲ１０及びＲ１３とＲ１４、上記一般式（VI）中のＲ２０とＲ２１、Ｒ２２とＲ２３及びＲ２４とＲ２５、上記一般式（VII）中のＲ２７とＲ２９、Ｒ２７とＲ３３、Ｒ２８とＲ３１、Ｒ２８とＲ３５、Ｒ２９とＲ３１、Ｒ３２とＲ３３及びＲ３４とＲ３５、上記一般式（VIII）中のＲ３９とＲ４０、Ｒ３９とＲ４３、Ｒ４０とＲ４５、Ｒ４１とＲ４４、Ｒ４２とＲ４３及びＲ４４及びＲ４５とが互いに連結して形成する環構造としては、シクロプロパン環、シクロブタン環、シクロペンタン環、シクロヘキサン環、ベンゼン環、ナフタレン環、フラン環、チオフェン環、ピロール環、テトラヒドロピラン環、ピペリジン環、ピペラジン環、ピロリジン環、モルフォリン環、チオモルフォリン環、ピリジン環、ピラジン環、ピリミジン環、ピリダジン環、トリアジン環、キノリン環、イソキノリン環、チアゾール環、イミダゾール環、オキサゾール環、イミダゾリジン環、ピラゾリジン環、イソオキサゾリジン環、イソチアゾリジン環等が挙げられ、これらの環は他の環と縮合されていたり、置換されていたりしてもよい。
【００３４】
上記一般式（IX）中のＲ２００、Ｒ２０２は、それぞれ上記Ｒ４２と同様でありＲ２０１、Ｒ２０３は、それぞれ上記Ｒ４３と同様であり、Ｒ２０４、Ｒ２０６は、上記Ｒ４４と同様であり、Ｒ２０５、Ｒ２０７は、上記Ｒ４５と同様であり、Ｘ６、Ｘ７は上記Ｘ５と同様である。
【００３５】
上記一般式（IV）のＤ並びに上記一般式（X）中の環Ａ１、環Ａ２、環Ａ３及び環Ａ４で表される五員の芳香族環としては、シクロペンタジエン環、が挙げられ、Ｄで表される六員の芳香族環としては、ベンゼン環が挙げられ、Ｄで表される五員又は六員の芳香族環は、他の環と縮合されていたり置換されていたりしていてもよく、例えば、ナフタレン環、アントラセン環、フェナントレン環、フェニルベンゼン環、アズレン環等が挙げられる。
【００３６】
上記一般式（X）中、環Ａ１、環Ａ２、環Ａ３及び環Ａ４で表される五員の複素環としては、ピロール環、フラン環、チオフェン環、ピラゾリジン環、ピラゾール環、イミダゾール環、イミダゾリジン環、オキサゾール環、イソキサゾール環、イソオキサゾリジン環、チアゾール環、イソチアゾリジン環、フェロセニル環、ニッケロセニル環、コバルトニル環、ルテノセニル環等が挙げられ、環Ａ１、環Ａ２、環Ａ３及び環Ａ４で表される六員環としては、ピペリジン環、ピペラジン環、モルフォリン環、チオモルフォリン環、ユロリジン環、ピリジン環、ピラジン環、ピリミジン環、ピリダジン環、トリアジン環等が挙げられ、環Ａ１、環Ａ２、環Ａ３及び環Ａ４で表される五員環又は六員環は、他の環と縮合されていたり置換されていたりしていてもよく、例えば、キノリン環、イソキノリン環、インドール環、ユロリジン環、ナフタレン環、アントラセン環、フェナントレン環、アントラキノン環、フェニルベンゼン環、ベンゾチオフェン環、ベンゾオキサゾール環、ベンゾトリアゾール環、アズレン環、フタルイミド環等が挙げられる。
【００３７】
上記一般式（IV）、Ｄで表されるメタロセニル基としては、フェロセニル環、ニッケロセニル環、コバルトニル環、ルテノセニル環等が挙げられる。
【００３８】
上記一般式（VI）中、Ｚ２で表される炭素原子数１〜１０の有機基としては、例えば、２〜８価のアルコール又はフェノールの残基を挙げることができる。
【００３９】
該２〜８価のアルコール又はフェノールとしては、例えば、エチレングリコール、プロピレングリコール、１,４−ブチレングリコール、ネオペンチルグリコール、１,６−ヘキサメチレングリコール、ソルバイト等の２価アルコール；カテコール、レゾルシン、ヒドロキノン等の２価フェノール：グリセリン、トリオキシイソブタン、１,２,３−ブタントリオール、１,２,３−ペンタントリオール、２−メチル−１,２,３−プロパントリオール、２−メチル−２,３,４−ブタントリオール、２−エチル−１,２,３−ブタントリオール、２,３,４−ペンタントリオール、２,３,４−ヘキサントリオール、４−プロピル−３,４,５−ヘプタントリオール、２,４−ジメチル−２,３,４−ペンタントリオール、ペンタメチルグリセリン、ペンタグリセリン、１,２,４−ブタントリオール、１,２,４−ペンタントリオール、トリメチロールエタン、トリメチロールプロパン等の３価アルコール；ペンタエリスリトール、１,２,３,４−ペンタンテトロール、２,３,４,５−ヘキサンテトロール、１,２,４,５−ペンタンテトロール、１,３,４,５−ヘキサンテトロール、ジグリセリン、ソルビタン等の４価アルコール；アドニトール、アラビトール、キシリトール、トリグレセリン等の５価アルコール；ジペンタエリスリトール、ソルビトール、マンニトール、イジトール、イノシトール、ダルシトール、タロース、アロース等の６価アルコール；蔗糖等の８価アルコール等が挙げられる。
上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８で表される炭素原子数１〜８のアルキル基、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８で表される炭素原子数６〜２０のアリール基、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１、Ｒ１２、Ｒ１３、Ｒ１４及びＲ１５、上記一般式（VI）中のＲ２０、Ｒ２１、Ｒ２２、Ｒ２３、Ｒ２４、Ｒ２５及びＲ２６、上記一般式（VII）中のＲ２７、Ｒ２８、Ｒ２９、Ｒ３０、Ｒ３１、Ｒ３２、Ｒ３３、Ｒ３４、Ｒ３５、Ｒ３６、Ｒ３７及びＲ３８、上記一般式（VIII）中のＲ３９、Ｒ４０、Ｒ４１、Ｒ４２、Ｒ４３、Ｒ４４、Ｒ４５、Ｒ４６、Ｒ４７及びＲ４８で表される炭素原子数７〜２０のアリールアルキル基、上記一般式（II）中のＲ１、Ｒ２、Ｒ３、Ｒ４、Ｒ５、Ｒ６及びＲ７、上記一般式（IV）中のＲ８、Ｒ９、Ｒ１０、Ｒ１１及びＲ１２、上記一般式（VI）中のＲ２０及びＲ２１、上記一般式（VII）中のＲ２７、Ｒ２８、Ｒ２９、Ｒ３０、Ｒ３１、Ｒ３２、Ｒ３３、Ｒ３４及びＲ３５、上記一般式（VIII）中のＲ３９、Ｒ４０、Ｒ４１、Ｒ４２及びＲ４３で表される炭素原子数２〜３０の複素環基、上記一般式（II）中のＲ５、Ｒ６及びＲ７、上記一般式（IV）中のＲ９、Ｒ１０、Ｒ１１及びＲ１２、上記一般式（VI）中のＲ２０及びＲ２１、上記一般式（VII）中のＲ２９、Ｒ３０、Ｒ３１、Ｒ３２、Ｒ３３、Ｒ３４及びＲ３５、上記一般式（VIII）中のＲ４０、Ｒ４１、Ｒ４２及びＲ４３で表されるハロゲン原子、上記一般式（II）中のＲ５、Ｒ６及びＲ７、上記一般式（IV）中のＤ、Ｒ９、Ｒ１０、Ｒ１１及びＲ１２、上記一般式（VI）中のＲ２０及びＲ２１、上記一般式（VII）中のＲ２９、Ｒ３０、Ｒ３１、Ｒ３２、Ｒ３３、Ｒ３４及びＲ３５、上記一般式（VIII）中のＲ４０、Ｒ４１、Ｒ４２及びＲ４３で表されるアミノ基、上記一般式（IV）のＤ並びに上記一般式（X）中の環Ａ１、環Ａ２、環Ａ３及び環Ａ４で表される五員の芳香族環、上記一般式（X）中の環Ａ１、環Ａ２、環Ａ３及び環Ａ４で表される五員の複素環、上記一般式（IV）のＤで表されるメタロセニル基及び上記一般式（VI）中のＺ２で表される炭素原子数１〜１０の有機基は置換基を有していてもよく、上記一般式（IX）中のＲ２００、Ｒ２０２、Ｒ２０��、Ｒ２０３、Ｒ２０４、Ｒ２０６、Ｒ２０５、Ｒ２０７、Ｒ２０８、Ｒ２０９、Ｒ２１０も同様である。尚、Ｒ１〜Ｒ４８、Ｙ１及びＡ３が、上記の炭素原子数１〜８のアルキル基等の炭素原子を含有する基であり、且つ、それらの基が、以下の置換基の中でも、炭素原子を含有する置換基を有する場合は、該置換基を含めた全体の炭素原子数が、規定された範囲を満たすものとする。
該置換基としては、以下のものが挙げられる。
例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ぺンタデセニル、エイコセニル、トリコセニル等のアルケニル基；ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環基；フェロセニル、ニッケロセニル、コバルトニル、フェロセンアルキル、フェロセンアルコキシ等のメタロセン基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、トリアルキルシリル基、イミド基、カルバモイル基、スルホンアミド基等が挙げられ、これらの基は更に置換されていてもよい。また、カルボキシル基及びスルホ基は無機塩基又は有機塩基と塩、錯体又は複合体を形成していてもよい。
【００４０】
上記一般式（III）におけるＲａ〜Ｒｉ並びに上記一般式（IV）におけるＲ１６、Ｒ１７、Ｒ１８及びＲ１９で表される炭素原子数１〜４のアルキル基としては、メチル、エチル、プロピル、イソプロピル、ブチル、第二ブチル、第三ブチル、イソブチル等が挙げられ、該アルキル基中のメチレン基が−Ｏ−で置換された基としては、メトキシ、エトキシ、プロピルオキシ、イソプロピルオキシ、メトキシメチル、エトキシメチル、２−メトキシエチル等が挙げられ、該アルキル基中のメチレン基が−ＣＯ−で置換された基としては、アセチル、１−カルボニルエチル、アセチルメチル、１−カルボニルプロピル、２−オキソブチル、２−アセチルエチル、１−カルボニルイソプロピル等が挙げられる。
上記一般式(III)において、Ｚ１で表される炭素原子数１〜８のアルキレン基としては、メチレン、エチレン、プロピレン、メチルエチレン、ブチレン、１−メチルプロピレン、２−メチルプロピレン、１，２−ジメチルプロピレン、１，３−ジメチルプロピレン、１−メチルブチレン、２−メチルブチレン、３−メチルブチレン、４−メチルブチレン、２，４−ジメチルブチレン、１，３−ジメチルブチレン、ペンチレン、へキシレン、ヘプチレン、オクチレン、エタン−１，１−ジイル、プロパン−２，２−ジイル等が挙げられ、該アルキレン基中のメチレン基が−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−、−Ｎ＝ＣＨ−又は−ＣＨ＝ＣＨ−で置換された基としては、メチレンオキシ、エチレンオキシ、オキシメチレン、チオメチレン、カルボニルメチレン、カルボニルオキシメチレン、メチレンカルボニルオキシ、スルホニルメチレン、アミノメチレン、アセチルアミノ、エチレンカルボキシアミド、エタンイミドイル、エテニレン、プロペニレン等が挙げられる。
【００４１】
上記一般式（IX）で表されるｔ価のアニオンとしては、下記一般式（XI）〜（XV）で表されるものが、合成が容易で耐久性がよいので好ましい。
【００４２】
【化１１】
2009292955.tif 000012
【００４３】
（式中、Ｒ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ５５及びＲ６２は、炭素原子数１〜８のアルキル基を表し、Ｚ７及びＺ８は、酸素原子、硫黄原子、セレン原子又は−ＮＲ−を表し、Ｒは、上記一般式（IX）と同じである。Ｍ３は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【００４４】
【化１２】
2009292955.tif 000013
【００４５】
（式中、Ｒ６３、Ｒ６４、Ｒ６５、Ｒ６６、Ｒ６９、Ｒ７０、Ｒ７１及びＲ７２は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ６７、Ｒ６８、Ｒ７３及びＲ７４は、炭素原子数１〜８のアルキル基を表し、Ｚ９及びＺ１０は、酸素原子、硫黄原子、セレン原子又は−ＮＲ−を表し、Ｒは、上記一般式（IX）と同じである。Ｍ４は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【００４６】
【化１３】
2009292955.tif 000014
【００４７】
（式中、Ｒ７５、Ｒ７６、Ｒ７７、Ｒ７８、Ｒ８０、Ｒ８１、Ｒ８２及びＲ８３は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ７９及びＲ８４は、炭素原子数１〜８のアルキル基を表す。Ｍ５は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【００４８】
【化１４】
2009292955.tif 000015
【００４９】
（式中、Ｒ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表す。Ｍ６は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
【００５０】
【化１５】
2009292955.tif 000016
【００５１】
（式中、Ｒ１０１、Ｒ１０２、Ｒ１０３、Ｒ１０４、Ｒ１０５、Ｒ１０７、Ｒ１０８、Ｒ１０９、Ｒ１１０及びＲ１１１は、それぞれ独立に、水素原子、炭素原子数１〜８のアルキル基、炭素原子数６〜２０のアリール基、炭素原子数７〜２０のアリールアルキル基、ハロゲン原子、アミノ基、水酸基、カルボキシル基、ニトロ基又はシアノ基を表し、Ｒ１０６及びＲ１１２は、炭素原子数１〜８のアルキル基を表す。Ｍ７は、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。上記アルキル基及びアリールアルキル基中のメチレン基は、−Ｏ−、−Ｓ−、−ＣＯＯ−、−ＯＣＯ−又は−ＣＨ＝ＣＨ−で置き換えられていてもよい。）
上記一般式（XI）中のＲ４９、Ｒ５０、Ｒ５１、Ｒ５２、Ｒ５３、Ｒ５４、Ｒ５５、Ｒ５６、Ｒ５７、Ｒ５８、Ｒ５９、Ｒ６０、Ｒ６１及びＲ６２、上記一般式（XII）中のＲ６３、Ｒ６４、Ｒ６５、Ｒ６６、Ｒ６７、Ｒ６８、Ｒ６９、Ｒ７０、Ｒ７１、Ｒ７２、Ｒ７３及びＲ７４、上記一般式（XIII）中のＲ７５、Ｒ７６、Ｒ７７、Ｒ７８、Ｒ７９、Ｒ８０、Ｒ８１、Ｒ８２、Ｒ８３及びＲ８４、上記一般式（XIV）中のＲ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００、並びに上記一般式（XV）中のＲ１０１、Ｒ１０２、Ｒ１０３、Ｒ１０４、Ｒ１０５、Ｒ１０６、Ｒ１０７、Ｒ１０８、Ｒ１０９、Ｒ１１０、Ｒ１１１及びＲ１１２で表される炭素原子数１〜８のアルキル基、上記一般式（XI）中のＲ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１上記一般式（XII）中のＲ６３、Ｒ６４、Ｒ６５、Ｒ６６、Ｒ６９、Ｒ７０、Ｒ７１及びＲ７２、上記一般式（XIII）中のＲ７５、Ｒ７６、Ｒ７７、Ｒ７８、Ｒ８０、Ｒ８１、Ｒ８２及びＲ８３、上記一般式（XIV）中のＲ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００、並びに上記一般式（XV）中のＲ１０１、Ｒ１０２、Ｒ１０３、Ｒ１０４、Ｒ１０５、Ｒ１０６、Ｒ１０７、Ｒ１０８、Ｒ１０９、Ｒ１１０、Ｒ１１１及びＲ１１２で表される炭素原子数６〜２０のアリール基、上記一般式（XI）中のＲ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１上記一般式（XII）中のＲ６３、Ｒ６４、Ｒ６５、Ｒ６６、Ｒ６９、Ｒ７０、Ｒ７１及びＲ７２、上記一般式（XIII）中のＲ７５、Ｒ７６、Ｒ７７、Ｒ７８、Ｒ８０、Ｒ８１、Ｒ８２及びＲ８３、上記一般式（XIV）中のＲ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００、並びに上記一般式（XV）中のＲ１０１、Ｒ１０２、Ｒ１０３、Ｒ１０４、Ｒ１０５、Ｒ１０６、Ｒ１０７、Ｒ１０８、Ｒ１０９、Ｒ１１０、Ｒ１１１及びＲ１１２で表される炭素原子数７〜２０のアリールアルキル基、上記一般式（XI）中のＲ５５及びＲ６２、上記一般式（Ｘ）中のＲ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１、上記一般式（XII）中のＲ６３、Ｒ６４、Ｒ６５、Ｒ６６、Ｒ６９、Ｒ７０、Ｒ７１及びＲ７２、上記一般式（XIII）中のＲ７５、Ｒ７６、Ｒ７７、Ｒ７８、Ｒ８０、Ｒ８１、Ｒ８２及びＲ８３、上記一般式（XIV）中のＲ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００、並びに上記一般式（XV）中のＲ１０１、Ｒ１０２、Ｒ１０３、Ｒ１０４、Ｒ１０５、Ｒ１０７、Ｒ１０８、Ｒ１０９、Ｒ１１０及びＲ１１１で表されるハロゲン原子、上記一般式（XI）中のＲ５５及びＲ６２、上記一般式（XI）中のＲ４９、Ｒ５０、Ｒ５１、Ｒ５２、Ｒ５３、Ｒ５４、Ｒ５６、Ｒ５７、Ｒ５８、Ｒ５９、Ｒ６０及びＲ６１、上記一般式（XII）中のＲ６３、Ｒ６４、Ｒ６５、Ｒ６６、Ｒ６９、Ｒ７０、Ｒ７１及びＲ７２、上記一般式（XIII）中のＲ７５、Ｒ７６、Ｒ７７、Ｒ７８、Ｒ８０、Ｒ８１、Ｒ８２及びＲ８３、上記一般式（XIV）中のＲ８５、Ｒ８６、Ｒ８７、Ｒ８８、Ｒ８９、Ｒ９０、Ｒ９１、Ｒ９２、Ｒ９３、Ｒ９４、Ｒ９５、Ｒ９６、Ｒ９７、Ｒ９８、Ｒ９９及びＲ１００、並びに上記一般式（XV）中のＲ１０１、Ｒ１０２、Ｒ１０３、Ｒ１０４、Ｒ１０５、Ｒ１０７、Ｒ１０８、Ｒ１０９、Ｒ１１０及びＲ１１１で表されるアミノ基としては、上記一般式（II）で例示したものが挙げられる。
【００５２】
本発明の光学記録材料において、上記一般式（Ｉ）で表される化合物は、単独又は複数種を組み合わせて用いることができる。
【００５３】
上記一般式（Ｉ）で表される化合物において、カチオンの好ましい具体例としては、下記化合物Ｎｏ．１〜６０、Ｎｏ．１０１〜１３０が挙げられる。尚、以下の例示化合物において、ポリメチン鎖は共鳴構造をとっていてもよく、またカチオンがもう一方の複素環骨格中の窒素原子上にあってもよい。
【００５４】
【化１６】
2009292955.tif 000017
【００５５】
【化１７】
2009292955.tif 000018
【００５６】
【化１８】
2009292955.tif 000019
【００５７】
【化１９】
2009292955.tif 000020
【００５８】
【化２０】
2009292955.tif 000021
【００５９】
【化２１】
2009292955.tif 000022
【００６０】
【化２２】
2009292955.tif 000023
【００６１】
【化２３】
2009292955.tif 000024
【００６２】
【化２４】
2009292955.tif 000025
【００６３】
【化２５】
2009292955.tif 000026
【００６４】
上記一般式（I）で表される化合物において、アニオンの好ましい具体例としては、下記化合物Ｎｏ．６１〜８８が挙げられる。
【００６５】
【化２６】
2009292955.tif 000027
【００６６】
【化２７】
2009292955.tif 000028
【００６７】
【化２８】
2009292955.tif 000029
【００６８】
【化２９】
2009292955.tif 000030
【００６９】
本発明の光学記録媒体は、基体上に、該光学記録材料からなる光学記録層を形成して得られるものである。
【００７０】
本発明の光学記録材料の調製、及び本発明の基体上に、該光学記録材料からなる光学記録層を形成したことを特徴とする光学記録媒体を製造する方法については、特に制限を受けない。一般には、メタノール、エタノール等の低級アルコール類；メチルセロソルブ、エチルセロソルブ、ブチルセロソルブ、ブチルジグリコール等のエーテルアルコール類；アセトン、メチルエチルケトン、メチルイソブチルケトン、シクロヘキサノン、ジアセトンアルコール等のケトン類、酢酸エチル、酢酸ブチル、酢酸メトキシエチル等のエステル類；アクリル酸エチル、アクリル酸ブチル等のアクリル酸エステル類、２，２，３，３−テトラフルオロプロパノール等のフッ化アルコール類；ベンゼン、トルエン、キシレン等の炭化水素類；メチレンジクロライド、ジクロロエタン、クロロホルム等の塩素化炭化水素類等の有機溶媒に、本発明のシアニン化合物及び必要に応じて後述の各種化合物を溶解して溶解して溶液状の光学記録材料を作製し、該光学記録材料を基体上にスピンコート、スプレー、ディッピング等で塗布する湿式塗布法が用いられる。
【００７１】
また、本発明の光学記録材料として、本発明のメロシアニン化合物又は該化合物と前述のジイモニウム化合物等の各種化合物との混合物を単体として用いて、本発明の光学記録材料を製造する場合には、蒸着法、スパッタリング法等が用いられる。
【００７２】
上記光学記録層は薄膜として形成され、その厚さは、通常、０．００１〜１０μｍが適当であり、好ましくは０．０１〜５μｍの範囲である。
また、本発明の光学記録材料中において、本発明のシアニン化合物の含有量は、本発明の光学記録材料中、０．１〜１０質量％が好ましい。上記光学記録層は、光学記録層中に上記シアニン化合物を５０〜１００質量％含有するように形成されることが好ましく、このようなシアニン化合物含有量の光学記録層を形成するために、本発明の光学記録材料は、上記シアニン化合物を、本発明の光学記録材料中０．５〜１０質量％含有するのがさらに好ましい。
【００７３】
本発明の光学記録材料は、本発明の化合物の他に、必要に応じて、シアニン化合物、アゾ系化合物、フタロシアニン系化合物、オキソノール系化合物、スクアリリウム系化合物、インドール化合物、スチリル系化合物、ポルフィン系化合物、アズレニウム系化合物、クロコニックメチン系化合物、ピリリウム系化合物、チオピリリウム系化合物、トリアリールメタン系化合物、ジフェニルメタン系化合物、テトラヒドロコリン系化合物、インドフェノール系化合物、アントラキノン系化合物、ナフトキノン系化合物、キサンテン系化合物、チアジン系化合物、アクリジン系化合物、オキサジン系化合物、スピロピラン系化合物、フルオレン系化合物、ローダミン系化合物等の、通常光学記録層に用いられる化合物；ポリエチレン、ポリエステル、ポリスチレン、ポリカーボネート等の樹脂類；界面活性剤；帯電防止剤；滑剤；難燃剤；ヒンダードアミン等のラジカル捕捉剤；フェロセン誘導体等のピット形成促進剤；分散剤；酸化防止剤；架橋剤；耐光性付与剤等を含有してもよい。さらに、本発明の光学記録材料は、一重項酸素等のクエンチャーとして芳香族ニトロソ化合物、アミニウム化合物、イミニウム化合物、ビスイミニウム化合物、遷移金属キレート化合物等を含有してもよい。本発明の光学記録材料において、これらの各種化合物は、本発明の光学記録材料中、０〜０．５質量％の範囲となる量で使用される。
【００７４】
本発明の光学記録材料には、ジイモニウム化合物を含有させてもよい。該ジイモニウム化合物を含有させることにより、本発明の光学記録媒体の経時的な吸光度残存率の低下をより効果的に防ぐことができる。また該ジイモニウム化合物を含有させる場合の含有量は、本発明の光学記録材料中、０〜９０質量％の範囲となる量が好ましく、より好ましくは、５０〜９０質量％である。
【００７５】
また、本発明の光学記録材料を溶液状の光学記録材料として用いる場合、上記有機溶媒の含有量は、光学記録材料中０〜９９．９質量％が好ましい。
【００７６】
このような光学記録層を設層する上記基体の材質は、書き込み（記録）光および読み出し（再生）光に対して実質的に透明なものであれば特に制限はなく、例えば、ポリメチルメタクリレート、ポリエチレンテレフタレート、ポリカーボネートなどの樹脂、ガラスなどが用いられる。また、その形状は、用途に応じ、テープ、ドラム、ベルト、ディスク等の任意の形状のものを使用できる。
【００７７】
また、上記光学記録層上には、金、銀、アルミニウム、銅等を用いて蒸着法あるいはスパッタリング法により反射膜を形成することもできるし、アクリル樹脂、紫外線硬化性樹脂等により保護層を形成することもできる。
【００７８】
本発明の光学記録材料は、記録、再生に半導体レーザを用いる光学記録媒体に好適であり、特に高速記録タイプのＣＤ−Ｒ、ＤＶＤ±Ｒ、ＨＤ−ＤＶＤ―Ｒ、ＢＤ−Ｒ等の公知の単層式、二層式、多層式光ディスクに好適である。
【実施例】
【００７９】
以下、実施例、比較例及び評価例をもって本発明を更に詳細に説明する。しかしながら、本発明は以下の実施例等によって何ら制限を受けるものではない。
下記実施例１及び２は、化合物Ｎｏ．１と化合物Ｎｏ．７６の塩及び化合物Ｎｏ．１と化合物Ｎｏ．６１の塩の製造を示し、下記実施例３及び４は、実施例１及び２で製造した化合物をそれぞれ含有する光学記録材料Ｎｏ．１及びＮｏ．２の調製及び該光学記録材料を用いた光学記録媒体Ｎｏ．１及びＮｏ．２の製造例を示す。
下記評価例１−１〜１−７では、本発明の化合物についての耐光性評価を行った。それらの結果を〔表４〕に示す。
〔実施例１及び２〕本発明の化合物の製造
化合物Ｎｏ．１の四フッ化ホウ酸塩０．６９ｍｍｏｌ、化合物Ｎｏ．７６及び化合物Ｎｏ．６１のトリエチルアミン塩０．６９ｍｍｏｌ及びピリジン３．６ｇを仕込み、６０℃で２時間撹拌し、メタノール８ｇを加え、室温まで冷却した。析出した固体をろ別後、減圧乾燥し、目的物である化合物をそれぞれ得た。得られた化合物の同定は、ＩＲ分析及び１Ｈ−ＮＭＲ分析により行った。それらの結果を〔表２〕及び〔表３〕に示した。
【００８０】
また、〔表１〕に、得られた化合物の収率並びに特性値[溶液状態での光吸収特性（λｍａｘ、及びλｍａｘにおけるε）]の測定結果を示す。
【００８１】
【表１】
2009292955.tif 000031
【００８２】
【表２】
2009292955.tif 000032
【００８３】
【表３】
2009292955.tif 000033
【００８４】
＊溶媒は、ＤＭＳＯ−ｄ６を用いた。
〔実施例３及び４〕
実施例１及び２で得られた化合物を、それぞれ化合物濃度が濃度１．０質量％となるように２，２，３，３−テトラフルオロプロパノールに溶解して、２，２，３，３−テトラフルオロプロパノール溶液として光学記録材料を得た。チタンキレート化合物（Ｔ−５０：日本曹達社製）を塗布、加水分解して下地層（０．０１μｍ）を設けた直径１２ｃｍのポリカーボネートディスク基板上に、上記の光学記録材料をスピンコーティング法にて塗布して、厚さ１００ｎｍの光学記録層を形成し、光学記録媒体Ｎｏ．１及びＮｏ．２をそれぞれ得た。
〔評価例１−１〜１−７〕耐光性評価
２，２，３，３−テトラフルオロプロパノールに本発明の化合物を、１質量％となるように溶解して２，２，３，３−テトラフルオロプロパノール溶液を調製し、得られた溶液を、２０×２０ｍｍのポリカーボネート板上に２０００ｒｐｍ、６０秒でスピンコーティング法により塗布して、試験片を作成した。
【００８５】
得られた試験片それぞれについて、ＵＶ吸収スペクトルのλｍａｘでの吸光度を測定し、次いで、５５０００ルクスの光を２００時間照射した後、再度ＵＶ吸収スペクトルのλｍａｘでの吸光度を測定し、照射前の吸光度を１００としたときの照射後の吸光度の割合を求めて耐光性評価とした。結果を〔表４〕に示す。
【００８６】
【表４】
2009292955.tif 000034
【００８７】
本発明の化合物は照射２００時間後においても吸光度残存率が高く、光学記録媒体に用いる化合物として好適であることが確認できた。